(57)【要約】【課題】  アングル鉄塔の主柱に、建設用マストを連結する支線を簡単かつ確実に接続する支線取付金具を提供する。【解決手段】  アングル鉄塔の主柱のアングル材Ｔ１の側面に沿って断面略Ｌ字状をなす内外一対のクランプ板２，３でアングル材Ｔ１を挟みボルト４、ナット５で締め込め止める。内クランプ板３に支線端部の接続金具Ｓを連結可能な接続部９を備える。内クランプ板３の両端部にボルト４を貫通させ、両クランプ板２，３間に配置するスペーサ１０を螺合させることによりボルト４を内クランプ板３に保持する。外クランプ板２の一端部の長孔６に、一方のボルト４を貫通させ、他端部において両クランプ板２，３間にアングル材Ｔ１を挿入するように両クランプ板２，３を相対移動可能に結合する。外クランプ板２の一端部に傾斜部８を設け、両クランプ板２，３の間隔を拡大可能とする。両クランプ板２，３にアングル材Ｔ１との滑り止めシート１２を設ける。【選択図】  図１
2015068037.tif 000002
【特許請求の範囲】
【請求項１】
アングル鉄塔建設用のクライミングクレーンが上部に固定され、建設中のアングル鉄塔の内側に配置されて、鉄塔の組み上げ高さに応じて上方に延ばしていくマスト、このマストを所定の高さ位置で上方に送り出し可能に受け入れて水平方向に固定する案内枠、またはマストの基部を支持する架台のいずれかを建設中のアングル鉄塔に連結して、マストの転倒や横ずれを防止する支線を、前記アングル鉄塔の主柱にシャックル等の接続金具によって係止するための支線取付金具であって、
前記主柱を構成するアングル材の側面部に沿って略Ｌ字状をなし、当該アングル材を挟み込みボルト止めして互いに結合される内外一対のクランプ板を備え、
内クランプ板には、前記マストに臨み前記接続金具を連結可能な接続部を具備することを特徴とするアングル鉄塔用の支線取付金具。
【請求項２】
前記外クランプ板の一端部には、前記内クランプ板の一端部を貫通した前記ボルトを貫通させると共に、内クランプ板の他端部を、外クランプ板との間に前記アングル材を受け入れ可能な離間位置と、外クランプ板にボルト止めする接近位置との間で相対移動可能な長孔を具備し、
この長孔を貫通したボルトにナットを螺合させて抜け止めすることにより両クランプ板が一体に結合されることを特徴とする請求項１に記載のアングル鉄塔用の支線取付金具。
【請求項３】
前記長孔を有する前記外クランプ板の一端部は、前記内クランプ板との相対角度を拡げて他端部において前記内クランプ板との間隔を拡大する傾斜部を具備することを特徴とする請求項２に記載のアングル鉄塔用の支線取付金具。
【請求項４】
前記外クランプ板の他端部には、前記内クランプ板を貫通した前記ボルトを垂直位置から外れた位置で挿入可能な長孔を具備することを特徴とする請求項３に記載のアングル鉄塔用の支線取付金具。
【請求項５】
前記両クランプ板の前記アングル材との対向部には、滑り止めシートを具備することを特徴とする請求項１ないし４のいずれかに記載のアングル鉄塔用の支線取付金具。
【請求項６】
前記ボルトに貫通され、両クランプ板に所定の相互間隔を確保するスペーサを具備することを特徴とする請求項１ないし５のいずれかに記載のアングル鉄塔用の支線取付金具。
【請求項７】
前記内クランプ板の接続部には、複数の支線を接続するための複数の接続孔を具備することを特徴とする請求項１ないし６のいずれかに記載のアングル鉄塔用の支線取付金具。
【発明の詳細な説明】
【技術分野】
【０００１】
本発明は、アングル鉄塔の建設工事において、クライミングクレーンを上部に固定するマストをアングル鉄塔の内側に設け、鉄塔の組み上げ高さに応じて伸長していくマストを建設中のアングル鉄塔と連結して転倒を防止する支線をアングル鉄塔に係止するための支線取付金具に関する。
【背景技術】
【０００２】
従来、鋼管鉄塔の建設方法として、上部にクライミングクレーンを固定したマストを建築中の鉄塔の主柱の内側に設け、鉄塔の組み上げの進行に応じてマストを順次せり上げるものがある（特許文献１）。マストは、鉄塔の主柱と水平にワイヤロープで連結してマストの転倒を防ぐ。このワイヤロープの一端は、マストを取り囲むガイド枠に接続され、他端は主柱に引止ワイヤを巻回し両端の引手に係止したり、主柱にワイヤロープを直接巻き付け係止している。
【先行技術文献】
【特許文献】
【０００３】
【特許文献１】特開平０６−０９３７６１号公報
【発明の概要】
【発明が解決しようとする課題】
【０００４】
上記従来の鋼管鉄塔の組立工法をアングル鉄塔に適用し、主柱を構成するアングル材に引止ワイヤあるいはワイヤロープを巻き付けると、引止ワイヤ等の屈曲部に荷重が集中し、キンクにより強度が低下し、これらの破断を招くおそれがある。引止ワイヤ等がアングル材に直接接触するのを回避するために、主柱にドングロス等の緩衝材を巻いたり、さらに主柱の内側に丸太を添えて緩衝材を巻き付けても、ワイヤロープに大きな張力がかかると、アングル材の角部で応力が集中し局部的に過度の屈曲が生じることでキンクが発生し強度的に不十分である。また、特に傾斜したワイヤロープに張力をかけると、緩衝材が主柱上を滑りワイヤロープに弛みが生ずるおそれがある。アングル材に緩衝材及び重量物の丸太を介してワイヤロープを巻き回す作業は、複数の作業員が関わる大きな労力を必要とし、作業が容易でない。
そこで本発明は、クライミングクレーンを支持するマストをアングル鉄塔の主柱に連結する支線を接続する作業を簡易化して、作業労力を軽減すると共に、支線の接続部分でのキンクによる強度低下や滑りによる弛みを防止するアングル鉄塔用の支線取付金具を提供することを目的とする。
【課題を解決するための手段】
【０００５】
本発明のアングル鉄塔用の支線取付金具は、クライミングクレーンを上部に固定し、アングル鉄塔Ｔの内側に配置され鉄塔Ｔの組み上げ高さに応じて上方に延ばしていくマストＭ、このマストＭを所定の高さ位置で上方に送り出し可能に受け入れて水平方向に固定する案内枠Ｇ、またはマストＭの基部を支持する架台Ｂのいずれかを支線Ｗ１，Ｗ２，Ｗ３で建設中のアングル鉄塔Ｔに連結する際に、アングル鉄塔Ｔの主柱に取り付ける。支線取付金具１は、主柱を構成するアングル材Ｔ１の側面部に沿って断面略Ｌ字状をなし、当該アングル材Ｔ１を挟み込みボルト４、ナット５で締め込み互いに結合される内外一対のクランプ板２，３を備え、内クランプ板３に、マストＭに臨み接続金具Ｓを連結可能な接続部９を具備させる。
外クランプ板２の一端部に、内クランプ板３に貫通させたボルト４を貫通させる長孔６を設け、内クランプ板３の他端部を、外クランプ板２との間にアングル材Ｔ１を受け入れ可能な離間位置と、内クランプ板３をボルト止めする接近位置との間で移動可能とし、長孔６にボルト４を貫通させナット５を螺合することにより両クランプ板２，３を一体に結合させる。
外クランプ板２の長孔６を有する一端部に、内クランプ板３との相対角度を拡大して他端部において内クランプ板３との間隔を拡大する傾斜部８を設ける。
外クランプ板２の他端部に、内クランプ板３を貫通させたボルト４を垂直位置から外れた位置で挿入可能な長孔７を設ける。
両クランプ板２，３のアングル材Ｔ１との対向部に、滑り止めシート１２を設ける。
ボルト４に貫通されて両クランプ板２，３に所定の相互間隔を確保するスペーサ１０を螺合させる。
両クランプ板２，３の接続部９に複数の支線Ｗ１，Ｗ２，Ｗ３を接続するための複数の接続孔９ａを設ける。
【発明の効果】
【０００６】
本発明においては、主柱材に取付金具を簡単にかつ確実に取り付けることができ、支線の取付作業の労力を大幅に軽減し、またアングル材に支線が接触しないから、張力がかかっても支線に部分的な荷重の集中がなく、強度の低下を防止し、また主柱上を滑ることなく確実に固定し、支線の弛みを防止する。両クランプ板はボルト、ナットを介して一体に結合しておくことができ、分離による部材の紛失や高所作業での脱落等を防止する。
【図面の簡単な説明】
【０００７】
【図１】本発明に係る支線取付金具の斜視図である。
【図２】図1の支線取付金具の平面図である。
【図３】図1の支線取付金具の正面図である。
【図４】装着前の支線取付金具の斜視図である。
【図５】他の実施形態の支線取付金具の斜視図である。
【図６】図５の支線取付金具の正面図である。
【図７】装着前の支線取付金具の斜視図である。
【図８】支線取付金具の使用状態の概略図である。
【発明を実施するための形態】
【０００８】
本発明の実施の一形態を図面を参照して説明する。
図８において、アングル鉄塔Ｔは、その四隅部の主柱の内側にマストＭを立て、せり上げ工法で順次マストを伸長しながら、頂部のクライミングクレーンで建設工事を進める。マストＭは、所定の高さ位置でアングル鉄塔Ｔの主柱から水平に張られたワイヤロープ等の支線Ｗ１により支持される案内枠Ｇに上方に送り出し可能に挿入され、転倒が防止される。すなわち、支線Ｗ１の一端は案内枠Ｇに接続され、他端はアングル鉄塔Ｔの主柱を構成するアングル材Ｔ１に接続される。支線Ｗの先端部の接続金具であるシャックルＳはアングル材Ｔ１に取り付けた支線取付金具１に接続される。
【０００９】
図１ないし図３において、支線取付金具１は、アングル材Ｔ１を内外に挟み込む外クランプ板２と内クランプ板３と、両クランプ板２，３を締め込むボルト４，ナット５とを具備する。外クランプ板２は、アングル材Ｔ１の外側面部に沿って延びる断面略Ｌ字状に屈曲した鋼板で構成される。外クランプ板２の両端部には、ボルト４を貫通させる長手方向の長孔６，７を備える。外クランプ板２の一端部は、曲がりの外側に立ち上がる傾斜部８を備える。
【００１０】
内クランプ板３は、両端部がアングル材Ｔ１の内側面部に沿うように中間部から立ち上がる断面略Ｌ字状をなす。内クランプ板３は、両端部にボルト４を貫通させ外クランプ板２と一体に結合する。内クランプ板３は、図１，図４に示すように、外クランプ板２の一方の長孔６に貫通するボルト４にナット５が螺合することにより外クランプ板２に連結した状態で取り扱われる。内クランプ板３は、長孔６により外クランプ板２に対して、アングル材Ｔ１を受け入れ可能な離間位置と、ボルト４で締め込む接近位置との間で水平方向に相対移動可能である。また内クランプ板３は、傾斜部８により外クランプ板２に対する連結角度を広げることによりアングル材Ｔ１を受け入れる間隔を拡大可能である。内クランプ板３の中間部には、曲がりの内側に向かって突出するように設けられた引手９を備える。引手９は、支線Ｗの先端のシャックルＳを係止する接続孔９ａを備える。
【００１１】
ボルト４は、アングル材Ｔ１の外側において外クランプ板２及び内クランプ板３の両端部を貫通する。ボルト４には、ナット５の内側位置において外クランプ板２と内クランプ板３との間に配置されるスペーサ１０が螺合する。長孔６を貫通するボルト４の軸端部には、ナット５を抜け止めするための割ピン１１が差し込まれる。
【００１２】
外クランプ板２及び内クランプ板３の対向面には、アングル材Ｔ１に当接する部分に弾性合成樹脂製の滑り止めシート１２が貼着されている。
【００１３】
この支線取付金具１は、アングル鉄塔Ｔの建設工事において、アングル鉄塔ＴとマストＭとを連結する支線Ｗ１を、アングル鉄塔Ｔに係止するためにアングル材Ｔ１に装着される。支線取付金具1は、図４に示すように未使用状態において、予め内クランプ板３の一端部にボルト４を貫通させ、スペーサ１０を介して外クランプ２の長孔６に貫通させてナット５を装着し割ピン１１を差し込んだ状態で、内クランプ板３を外クランプ２に結合しておく。
内クランプ板３は、外クランプ２に対して一端側の長孔６の範囲で相対移動すると共に、外クランプ２の傾斜部８において外クランプ板２との相対角度が拡大するので、他端部において外クランプ２との間隔を拡げることにより、アングル材Ｔ１を容易に受け入れる。
内クランプ板３と外クランプ板２との間にアングル材Ｔ１を配置し、外クランプ板２の他端部にボルト４を貫通させる際、ボルト４が外クランプ板２に対して垂直位置から外れた位置においても長孔7に挿入可能である。
支線取付金具1は、外クランプ板２と内クランプ板３とでアングル材Ｔ１を挟み込み、両ボルト４をナット５で締め込めば、アングル材Ｔ１に確実に固定することができる。取付金具１をアングル材Ｔ１に取り付けたら、引手９にシャックルＳを掛け止めれば支線Ｗ１を係止できる。
なお、外クランプ板２と内クランプ板３との他端部を止めるボルト４やこれに装着するスペーサ１０は、アングル材Ｔ１への装着前に内クランプ板３に一体に組み置けば、分離することがなく取り扱いやすい。
【００１４】
他の実施形態を図５ないし図７に示す。なお、同図において、先の実施形態におけるものと同一の構成部分には同一符号を付して説明を省略する。
支線取付金具１３の内外両クランプ板２，３は、先の実施形態におけるものより幅広に構成され、ボルト４及びこれに装着するナット５，スペーサ１０が上下に二つずつ取り付けられ、引手９に上下二つの接続孔９ａが設けられる。したがってマストＭの基部の支持架台Ｂに地支線Ｗ２及び斜地支線Ｗ３を一つの支線取付金具１３に接続することができ、地震時等の横ずれやマストの転倒を防止する。
【符号の説明】
【００１５】
１    支線取付金具
２    外クランプ板
３    内クランプ板
４    ボルト
５    ナット
６    長孔
７    長孔
８    傾斜部
９    引手
９ａ  接続孔
１０    スペーサ
１１    割ピン
１２    滑り止めシート
Ｔ    アングル鉄塔
Ｔ１  アングル材
Ｍ    マスト
Ｗ１  支線
Ｗ２  地支線
Ｗ３  斜地支線
Ｓ    シャックル
【図１】
2015068037.tif 000003
【図２】
2015068037.tif 000004
【図３】
2015068037.tif 000005
【図４】
2015068037.tif 000006
【図５】
2015068037.tif 000007
【図６】
2015068037.tif 000008
【図７】
2015068037.tif 000009
【図８】
2015068037.tif 000010